(57)【要約】【課題】床材、壁材などの内外装材表面や机、カウンターなどの什器表面に粘着剤を用いて、シート状内外装材を貼り付ける時に、熟練者のみならず、誰もが簡単に施工可能となるヘラを提供すること。【解決手段】約１８０度より小さい角度に夾まれ、一体となった、２枚の多角形プレート一組からなる、あるいは大きさが同じ、または異なる二組以上の、約１８０度より小さい角度に夾まれ、一体となった、２枚の多角形プレート同士が、少なくとも二ヶ所以上のジョイント部位で結合され、組み合わさった、三角ヘラ。【選択図】図１
2006063783.tif 000002
【特許請求の範囲】
【請求項１】
約１８０度より小さい角度に夾まれ、一体となった、２枚の多角形プレートで、構成した三角ヘラ。
【請求項２】
大きさが同じ、又は異なる、二つ以上の、約１８０度より小さい角度に夾まれ、一体となった、２枚の多角形プレート同士が、各々、少なくとも二ヶ所以上のジョイント部位で結合され、組み合わさった、三角ヘラ。
【発明の詳細な説明】
【技術分野】
【０００１】  本発明は、床材、壁材などの内外装材表面や机、カウンターなどの什器表面、に粘着剤を用いて、厚さが、約３００ミクロン以下のシート状内外装材を貼り付ける際に、誰もが簡単に貼り付け可能となる、三角ヘラに関するものである。
【背景技術】
【０００２】  駅やデパートなど不特定多数の人たちが訪れる施設などでは、広告掲載、案内表示、施設のデザイン変更、および内外装材の保護などを目的として、画像入り、色付き、又は透明な、当該シート状内外装材が床材、壁材などの内外装材表面や机、カウンターなどの什器表面に貼られている。【０００３】  従来、床材、壁材などの内外装材表面や机、カウンターなどの什器表面に、粘着剤を用いて、当該シート状内外装材を貼る場合には、当該シート状内外装材表面の中心線付近から周囲に向かい、板状ヘラやローラーを、押しつけ、滑らせながら、貼り付けていた。【０００４】  最適な貼り方は、板状ヘラやローラーを当該シート状内外装材表面の中心線付近から周囲に向かい、扇形を描く要領で、押しつけ、滑らせながら貼る方法である。
理由は、当該シート状の内外装材を貼りやすくする目的で、板状ヘラやローラーを動かす時の一辺の距離、および当該シート状内外装材の縒れ、を最小に抑えるためである。
【発明の開示】
【発明が解決しようとする課題】
【０００５】  しかしながら、これらの方法は、次のような問題点のあることが判明した。
当該シート状内外装材表面上で、板状ヘラやローラーを動かす場合、板状ヘラやローラーを手で小刻みに動かす必要があるため、力の加減にばらつきが生じ、板状ヘラやローラーの動かし方によっては、たくさんの気泡が入り、上手く貼ることができないなど、貼る人による個人差が著しかった。【０００６】  特に透明なシート状内外装材を、床材、壁材などの内外装材表面や机、カウンターなどの什器表面へ貼り付ける場合には、より気泡が目立つことから、貼り付け作業には、かなりの熟練が不可欠であった。【０００７】  本発明は、以上の問題点を解決するためのものであり、床材、壁材などの内外装材表面や机、カウンターなどの什器表面に粘着剤を用いて、当該シート状内外装材を貼り付ける時に、熟練者のみならず、誰もが簡単に貼り付け可能となる、三角ヘラの提供をその目的とする。
【発明の効果】
【０００８】  当該シート状内外装材を床材、壁材などの内外装材表面や机、カウンターなどの什器表面への貼り付け作業時に、従来使用していた、板状ヘラやローラーは、手作業による貼り付けのため、貼り付け時の力加減にばらつきが生じ、板状ヘラやローラーの動かし方によっては、たくさんの気泡が入り、上手く貼ることができないなど、貼る人による個人差が著しかった。【０００９】  しかし、本発明の三角ヘラを用いることで、当該三角ヘラを当該シート状内外装材表面上で前方に滑らせながら動かすだけで、従来型の板状ヘラやローラーを、当該シート状内外装材表面上の中心線付近から周囲に向けて、扇形に動かす方法と同じ動きが、一工程で、かつ安定感を保持しながら、できるようになる。【００１０】  以上のように、当該三角ヘラを用いることで、粘着材を用いた、当該シート状内外装材を床材、壁材などの内外装材表面や机、カウンターなどの什器表面への貼り付け作業を、誰もが簡単に出来るようになる。【００１１】  例えば、表面にワックスが塗工された粘着剤付きのシート状内外装材を、誰もが簡単に床材表面に貼ることも可能となり、従来は専門家によって行われてきた、ワックス施工の代替え方法ともなり得る。
【発明を実施するための最良の形態】
【００１２】  以下、本発明の実施形態の一例を図面に基づいて詳細に説明する。
図１は、約１８０度より小さい角度１に夾まれ、一体となった、２枚の多角形プレート２および３で、構成した三角ヘラを示している。【００１３】  図２は、大きさが異なる、二つの約１８０度より小さい角度４および５に夾まれ、一体となった、各々２枚づつの多角形プレート６、７、８、および９の内、６と８、７と９同士がジョイント部位１０により結合された、当該三角ヘラを示している。【００１４】  図３は、当該三角ヘラ１１を側面から見た図であるが、シート状内外装材１６と接する面１２には、ゴムシート１３、ガーゼなどが附属したカートリッジ体１４が着脱可能、となっている。
これは、床材１５、壁材などの内外装材表面や机、カウンターなどの什器表面の素材、当該シート状の内外装材１６表面の素材および滑り性などに応じて、簡単に最適な素材１３など、が附属したカートリッジ体１４に装着変更できることを目的としている。【００１５】  図４は当該三角ヘラ１１に付属する、持ち手１７を示している。
この持ち手１７が付属していることで、ヘラの安定感および上から押す力が増すとともに、当該三角ヘラ１１を動かしやすくすることに貢献しており、貼りやすさを増すことに繋がった。【００１６】  図４の約１８０度より小さい角度に挟まれて組み合わされた２枚の多角形プレートの先端外側部分には、貼り付け作業中に、当該シート状内外装材表面を傷つけないよう、スポンジやゴムなどの柔らかい物質を保護材１８として、貼り付けてある。
【実施例】
【００１７】  図５〜図８は、本発明に係わる当該三角ヘラの実施例を時系列順に示しており、以下、これについて説明する。【００１８】  図５は、床材、壁材などの内外装材表面や机、カウンターなどの什器表面に貼るための当該シート状内外装材１６を示している。
当該シート状内外装材１６には粘着材層１９および剥離紙２０が付属している。【００１９】  例えば、図６に示される床材１５への貼り付け時には、剥離紙２０を剥がしながら、粘着材層１９を床材１５に貼り付けるが、この時に、当該三角ヘラ１１を当該シート状内外装材１６表面に乗せ、当該シート状内外装材１６上の前方方向２１に向かい、当該三角ヘラ１１を当該シート状内外装材１６に押しつけながら、滑らせ、貼り付けていく。【００２０】  図７に示す通り、当該三角ヘラ１１を当該シート状内外装材１６の前方方向２１に向け、押しつけながら、滑らせていくことで、当該シート状の内外装材１６は、床材１５に対し、２２および２３の方向へと貼り付けられる。【００２１】  すなわち、当該三角ヘラを用いることで、図８に示されるよう、従来型の板状ヘラ２４を当該シート状内外装材表面１６の中心線付近から周囲に向けて、扇形に動かす方法２５および２６と同じ動きを一工程で、かつ安定感を保持しながら、できるようになった。
【図面の簡単な説明】
【００２２】
【図１】約１８０度より小さい角度に夾まれ、一体となった、２枚の多角形プレートで、構成した三角ヘラを示す図面
【図２】大きさが異なる、二つの、約１８０度より小さい角度に夾まれ、一体となった、２枚の多角形プレートが二ヶ所のジョイント部位で、結合され、一体で構成した、三角ヘラを示す図面
【図３】側面から見た三角ヘラを示す図面
【図４】三角ヘラに附属する持ち手および保護材を示す図面
【図５】シート状内外装材を示す図面
【図６】三角ヘラを用いて、シート状内外装材を床に貼りつけている図面
【図７】三角ヘラを用いて、シート状内外装材を床に貼りつけている図面
【図８】従来型の板状ヘラを用いて、シート状内外装材を床に貼りつけている図面
【符号の説明】
【００２３】１        ２枚の多角形プレートの夾角
２        多角形プレート
３        多角形プレート
４        ２枚の多角形プレートの夾角
５        ２枚の多角形プレートの夾角
６        多角形プレート
７        多角形プレート
８        多角形プレート
９        多角形プレート
１０      二組の多角形プレートを結合するジョイント部位
１１      三角ヘラ
１２      三角ヘラのシート状内外装材表面と接する部位
１３      ゴムシート
１４      カートリッジ体
１５      床材
１６      シート状内外装材
１７      三角ヘラの持ち手
１８      三角ヘラ先端外側部分に附属する保護材
１９      シート状内外装材に附属する粘着剤層
２０      シート状内外装材に附属する剥離紙
２１      シート状内外装材を貼りつけ時に三角ヘラを動かす方向を示す矢印
２２      三角ヘラを前方方向に動かした時にシート状内外装材が貼りつけられる方向を示す矢印
２３      三角ヘラを前方方向に動かした時にシート状内外装材が貼りつけられる方向を示す矢印
２４      板状ヘラ
２５      板状ヘラを扇形に動かした時に、シート状内外装材が貼りつけられる方向を示す矢印
２６      板状ヘラを扇形に動かした時に、シート状内外装材が貼りつけられる方向を示す矢印
【図１】
2006063783.tif 000003
【図２】
2006063783.tif 000004
【図３】
2006063783.tif 000005
【図４】
2006063783.tif 000006
【図５】
2006063783.tif 000007
【図６】
2006063783.tif 000008
【図７】
2006063783.tif 000009
【図８】
2006063783.tif 000010